(57)【特許請求の範囲】
【請求項１】
浴槽の外壁から突出した外側ケースと、前記外側ケースに接続された前記浴槽の外壁の略面方向に沿って伸びた往き側接続管および戻り側接続管とを有し前記浴槽の壁面を貫通して設けられた風呂循環具と接続される風呂循環流路切替装置であって、
前記往き側接続管と接続される出口側接続口を有する往き流路と、
前記戻り側接続管と接続される入口側接続口を有する戻り流路と、
前記往き流路を前記戻り流路に接続するバイパス流路と、
流通する湯水の温度が所定温度以上である場合に前記バイパス流路を閉じ、前記流通する湯水の温度が所定温度よりも低い場合に前記バイパス流路を開き前記往き流路を閉じる流路切替機構部とを備え、
前記風呂循環具と接続された場合、前記流路切替機構部と前記浴槽の外壁との距離は、前記出口側接続口または前記入口側接続口と前記浴槽の外壁との距離以下である風呂循環流路切替装置。
【請求項２】
前記流路切替機構部と前記浴槽の外壁との距離は、前記流路切替機構部の外形端部により画定され、
前記出口側接続口または前記入口側接続口と前記浴槽の外壁との距離は、前記出口側接続口または前記入口側接続口の外形端部により画定された請求項１記載の風呂循環流路切替装置。
【請求項３】
前記出口側接続口および前記入口側接続口が形成された各管は、前記往き側接続管および前記戻り側接続管とそれぞれ管軸が略同一であり、
前記流路切替機構部は、前記バイパス流路を開閉する感温切替弁と、前記出口側接続口および前記入口側接続口が形成された前記各管と略平行の管軸を有する管状の弁箱とを有し、
前記風呂循環具と接続された場合、前記弁箱の前記管軸は、前記出口側接続口および前記入口側接続口が形成された前記各管の管軸よりも前記浴槽の外壁側に位置する請求項１記載の風呂循環流路切替装置。
【請求項４】
前記感温切替弁は、形状記憶合金圧縮コイルバネまたはワックスサーモエレメントを有する弁である請求項２または３記載の風呂循環流路切替装置。
【請求項５】
浴槽の外壁から突出した外側ケースと、前記外側ケースに接続された前記浴槽の外壁の略面方向に沿って伸びた往き側接続管および戻り側接続管とを有し前記浴槽の壁面を貫通して設けられた風呂循環具と接続される風呂循環流路切替装置であって、
前記往き側接続管と接続される出口側接続口を有し前記往き側接続管の管軸と略同一の管軸を有する管を含む往き流路と、
前記戻り側接続管と接続される入口側接続口を有し前記戻り側接続管の管軸と略同一であり、かつ前記出口側接続口が形成された前記管の管軸と鉛直方向同一平面内にある管軸を有する管を含む戻り流路と、
前記往き流路を前記戻り流路に接続するバイパス流路と、
流通する湯水の温度が所定温度以上である場合に前記バイパス流路を閉じ、前記流通する湯水の温度が所定温度よりも低い場合に前記バイパス流路を開き前記往き流路を閉じる感温切替弁と、前記出口側接続口および前記入口側接続口が形成された前記各管の管軸と略平行かつ前記各管軸を含む前記平面とは異なる平面内であり、かつ前記浴槽の外壁側にある管軸を有する管状の弁箱とを有する流路切替機構部とを備えた風呂循環流路切替装置。
【発明の詳細な説明】
【技術分野】
【０００１】
本発明は、追い炊き機能を備えた風呂給湯システムに使用される風呂循環流路切替装置に関する。
【背景技術】
【０００２】
従来、風呂循環流路切替装置へ流路内の残留水が流入すると、感温切替弁により往き流路から浴槽への通水を遮断して、バイパス流路を介して戻り流路へ通水させる技術が知られている（例えば、特許文献１参照）。
【先行技術文献】
【特許文献】
【０００３】
【特許文献１】特開２０１２−１８９２３２号公報
【発明の概要】
【発明が解決しようとする課題】
【０００４】
風呂循環流路切替装置は、通常、浴槽の外壁と浴室の壁との間（例えば２００ｍｍ）の限られた狭い空間に設置される。また、浴槽周りや浴室の壁には障害物が配置されている場合もある。
【０００５】
ここで、感温切替弁のように、弁の開閉のための機構に部品点数が多く構造が複雑化しがちな弁を用いた場合、この開閉機構が大型化してしまい風呂循環流路切替装置全体の小型化を困難にしていた。このため、上述した空間へ風呂循環流路切替装置を実際に設置しようとすると、浴室の壁や障害物に干渉し、設置を困難にする恐れがあった。また、風呂循環流路切替装置を設置しようとしても、浴槽の外壁と浴室の壁と空間が広く確保されているものにしか設置できない。
本発明はこのような事情を考慮してなされたもので、設置環境を問わずに設置できる風呂循環流路切替装置を提供することを目的とする。
【課題を解決するための手段】
【０００６】
本発明に係る風呂循環流路切替装置は、上述した課題を解決するために、浴槽の外壁から突出した外側ケースと、前記外側ケースに接続された前記浴槽の外壁の略面方向に沿って伸びた往き側接続管および戻り側接続管とを有し前記浴槽の壁面を貫通して設けられた風呂循環具と接続される風呂循環流路切替装置であって、前記往き側接続管と接続される出口側接続口を有する往き流路と、前記戻り側接続管と接続される入口側接続口を有する戻り流路と、前記往き流路を前記戻り流路に接続するバイパス流路と、流通する湯水の温度が所定温度以上である場合に前記バイパス流路を閉じ、前記流通する湯水の温度が所定温度よりも低い場合に前記バイパス流路を開き前記往き流路を閉じる流路切替機構部とを備え、前記風呂循環具と接続された場合、前記流路切替機構部と前記浴槽の外壁との距離は、前記出口側接続口または前記入口側接続口と前記浴槽の外壁との距離以下である。
【発明の効果】
【０００７】
本発明に係る風呂循環流路切替装置においては、設置環境を問わずに設置できる。
【図面の簡単な説明】
【０００８】
【図１】本実施形態における風呂循環流路切替装置を適用した風呂給湯システムの概略的なシステム構成図。
【図２】本実施形態における風呂循環流路切替装置の外観斜視図。
【図３】（Ａ）は、風呂循環具と接続された風呂循環流路切替装置の構成図、（Ｂ）は図３（Ａ）を浴槽外壁と直交する方向から見た構成図。
【図４】図３（Ｂ）のＡ−Ａ線に沿うバイパス流路が閉じた場合の風呂循環流路切替装置の断面図。
【図５】図３（Ｂ）のＡ−Ａ線に沿うバイパス流路が開いた場合の風呂循環流路切替装置の断面図。
【図６】本実施形態における切替装置の効果を説明するための図であり、（Ａ）は風呂循環具と接続された風呂循環流路切替装置の構成図、（Ｂ）は図６（Ａ）を浴槽外壁と直交する方向から見た構成図。
【発明を実施するための形態】
【０００９】
本発明に係る風呂循環流路切替装置の一実施形態を添付図面に基づいて説明する。
図１は、本実施形態における風呂循環流路切替装置１を適用した風呂給湯システム２の概略的なシステム構成図である。
【００１０】
風呂給湯システム２は、浴室３内に設けられた浴槽４と、浴室３外に設けられた風呂給湯機５（給湯機５）と、給湯機５と浴槽４とを接続する風呂循環流路６とを主に有する。
【００１１】
浴槽４は、風呂循環流路６と接続された風呂循環具７を有する。風呂循環具７は、浴槽４の壁面を貫通して設けられ、浴槽４に湯水（湯または水）を吐出する吐出口７ａと、浴槽４内の湯水を吸い込む吸込口７ｂとを有する。また、浴室３内には、給湯機５を操作するためのリモコン８と、カラン９とが設けられる。
【００１２】
給湯機５は、湯水を貯湯する貯湯タンク１１を有する。貯湯タンク１１は、貯湯タンク１１内の湯水を加熱するヒータ１２と、貯湯タンク１１内の貯湯温度を検出する貯湯温度センサ１３とを有する。貯湯タンク１１底部には、貯湯タンク１１に市水を供給する給水管１５が接続される。貯湯タンク１１頂部には、貯湯タンク１１から湯水を出湯する出湯管１６が接続される。出湯管１６は、給湯混合弁１７を介して給水管１５から分岐された給水バイパス管１８と接続される。
【００１３】
給湯混合弁１７は、給水バイパス管１８からの湯水と出湯管１６からの湯水とを給湯設定温度になるよう混合する。給湯混合弁１７にはさらに給湯管１９が接続されており、給湯混合弁１７で混合された湯水はカラン９へ導かれる。給湯管１９には、湯水の温度を検出する給湯温度センサ２１と、給湯量を検出する給湯流量カウンタ２２とが設けられる。また、給水管１５には、給水温度を検出する給水温度センサ２３が設けられる。
【００１４】
風呂循環流路６は、戻り管３１と、風呂熱交換器３３と、往き管３２とを主に有する。戻り管３１は、風呂循環具７の吸込口７ｂから吸い込まれた浴槽４の湯水（浴槽水）を風呂熱交換器３３へ戻す。風呂熱交換器３３は、貯湯タンク１１内上部に設けられ、湯水を加熱する。往き管３２は、風呂熱交換器３３で加熱された湯水を浴槽４側へ供給する。戻り管３１には、湯水を送る風呂循環ポンプ３５と、湯水が循環しているか否かを検出する流水センサ３６と、循環する湯水の温度を検出する風呂温度センサ３７とが設けられる。また、風呂循環流路６は、風呂三方弁３９を介して戻り管３１と往き管３２とをバイパスする風呂バイパス管４０を有する。風呂三方弁３９は、戻り管３１からの湯水を風呂熱交換器３３に流通させるか、往き管３２にバイパスさせるかを切り替える。
【００１５】
戻り管３１には、給湯管１９からの湯水を風呂循環流路６へ供給するため、給湯管１９から分岐された湯張り管４１が接続される。湯張り管４１は、湯張り管４１を開閉する湯張り弁４２と、湯張り管４１から供給される湯水の量をカウントする風呂流量カウンタ４３と、戻り管３１からの湯水の逆流を防止する逆止弁４４とを有する。
【００１６】
風呂給湯システム２は、風呂給湯システム２を電気的に制御する制御部５０を有する。制御部５０は、演算、比較、記憶機能、および時計機能を有し、給湯機５を制御するためのプログラムを予め記憶する。
【００１７】
制御部５０は、貯湯温度センサ１３、給湯温度センサ２１、給湯流量カウンタ２２、給水温度センサ２３、流水センサ３６、風呂温度センサ３７、および風呂流量カウンタ４３の検出値を取得し、この検出値に基づいてヒータ１２、給湯混合弁１７、風呂循環ポンプ３５、風呂三方弁３９、および湯張り弁４２を制御する。また、制御部５０は、リモコン８を介してユーザーの指示を受け付け、各部を制御し指示を実行する。すなわち、制御部５０は、リモコン８で指示された給湯設定温度や、風呂設定温度、設定湯量などに基づいて給湯運転、湯張り運転、風呂追焚き運転などを実行する。
【００１８】
風呂循環流路６は、浴室３内の浴槽４裏側空間の風呂循環具７近傍に配置された、風呂循環流路切替装置１を有する。
【００１９】
図２は、本実施形態における風呂循環流路切替装置１の外観斜視図である。
図３（Ａ）は、風呂循環具７と接続された風呂循環流路切替装置１の構成図であり、（Ｂ）は図３（Ａ）を浴槽外壁４ａと直交する方向から見た構成図である。
図４は、図３（Ｂ）のＡ−Ａ線に沿うバイパス流路６３が閉じた場合の風呂循環流路切替装置１の断面図である。
図５は、図３（Ｂ）のＡ−Ａ線に沿うバイパス流路６３が開いた場合の風呂循環流路切替装置１の断面図である。
【００２０】
風呂循環流路切替装置１（切替装置１）は、風呂循環流路６から浴槽４への冷水の吐出を防止するために設けられる。切替装置１は、図３（Ａ）に示すように、往き流路６１と、戻り流路６２と、バイパス流路６３と、流路切替機構部７０とを主に備える。
【００２１】
往き流路６１は、給湯機５（熱源機）側からの湯水を浴槽４側へ供給する。戻り流路６２は、浴槽４側からの湯水を給湯機５側へ供給する。戻り流路６２は、略水平に伸びた第１水平流路６５と、第１水平流路６５端部から立ち上がった立ち上がり流路６６と、立ち上がり流路６６端部から略水平の方向に伸びた第２水平流路６７とを浴槽４側から順に有する。
【００２２】
バイパス流路６３は、往き流路６１を戻り流路６２（立ち上がり流路６６）に接続する。
【００２３】
図４および図５に示すように、流路切替機構部７０は、感温切替弁７１と、弁箱７２とを主に備える。感温切替弁７１は、流通する湯水の温度に応じて伸縮する形状記憶合金圧縮コイルバネ７４（ＳＭＡ（Shape Memory Alloy）バネ７４）と、このＳＭＡバネ７４によって移動する弁体７５と、この弁体７５をＳＭＡバネ７４の付勢力とは逆方向に付勢するバイアスバネ７６とを有する。また、感温切替弁７１は、バイアスバネ７６の付勢力を調整するプリセット荷重調整ネジ７７を有する。感温切替弁７１は、弁体７５の移動方向（ＳＭＡバネ７４およびバイアスバネ７６の付勢方向）が略水平方向となるように構成される。
【００２４】
ＳＭＡバネ７４は、所定温度以上である場合に伸びてバイパス流路６３を閉じ、所定温度より低い場合に縮みバイパス流路６３を開く。弁体７５は、このＳＭＡバネ７４とバイアスバネ７６との力関係によって移動する。バイパス流路６３が閉じた場合、後述するバイパス管９５と切替装置戻り管８４（戻り流路６２とバイパス流路６３との区画壁８４ｅとなる箇所）とが弁座となる。バイパス流路６３が開いた場合、後述する接続部材８１が弁座となる。また、弁箱７２は、切替装置１が風呂循環具７と接続された場合に、管軸が浴槽外壁４ａに沿って伸びた略水平方向である管状の部材である。本実施形態においては、接続部材８１と、切替装置往き管８２の入口側接続口８２ｂを形成する箇所と、バイパス管９５とが感温切替弁７１の弁箱７２として機能する。
【００２５】
なお、このＳＭＡバネ７４は、浴槽４内に流入させてもユーザーにとって低温感の少ない温度であってユーザーが任意に設定可能な浴槽４に供給される湯水の温度（風呂設定温度）より低い温度（例えば３０℃）を、上記所定温度としての形状回復温度として設計される。形状回復温度より低い雰囲気下では、ＳＭＡバネ７４の付勢力はバイアスバネ７６の付勢力よりも弱く、ＳＭＡバネ７４はバイアスバネ７６に押されて縮む。形状回復温度以上の雰囲気下では、ＳＭＡバネ７４の付勢力はバイアスバネ７６の付勢力よりも強く、ＳＭＡバネ７４はバイアスバネ７６に抗して伸びる。
【００２６】
次に、切替装置１の構成をさらに詳細に説明する。
往き流路６１は、接続部材８１と、切替装置往き管８２とで構成される。接続部材８１は、往き管３２と切替装置往き管８２とを接続する部材である。切替装置往き管８２には、出口側接続口８２ｃが形成され、風呂循環具７の往き側接続管７ｃの管軸と略同一の管軸を有する水平管８２ａを含む。すなわち、水平管８２ａは、切替装置１が風呂循環具７と接続された場合、浴槽外壁４ａに沿って伸びた略水平方向の管軸を有する。
【００２７】
接続部材８１は、風呂循環流路６の往き管３２と入口側接続口８１ａで接続される。接続部材８１は、出口側接続口８１ｂで切替装置往き管８２の入口側接続口８２ｂと接続される。切替装置往き管８２（水平管８２ａ）は、往き側接続管７ｃと、出口側接続口８２ｃで接続される。また、接続部材８１は、切替装置往き管８２との接続部分に往き流路口８１ｃを有する。図３に示すように、接続部材８１の管軸と水平管８２ａの管軸とは異なる鉛直方向平面内に形成されるため、往き流路口８１ｃは、接続部材８１から水平管８２ａに流れる湯水が径方向断面において約４５°方向（図３（Ｂ）においては左斜め下４５°方向）に流れるように形成される。
【００２８】
ここで、往き流路６１が形成される場合は、図４に示すように、バイパス流路６３が閉じている場合である。すなわち、流路切替機構部７０を流通する湯水の温度が所定温度以上である場合（ＳＭＡバネ７４が所定温度以上となり伸びた場合）に、弁体７５は弁座としてのバイパス管９５と切替装置戻り管８４に当接し、バイパス流路６３を閉じる。なお、切替装置１の「往き流路」という場合には、上記構成に限らず往き管３２の一部や、切替装置往き管８２より下流側の流路を含んでもよい。
【００２９】
戻り流路６２は、エルボ部分を一部に含む切替装置戻り管８４で構成される。切替装置戻り管８４は、第１水平流路６５と、立ち上がり流路６６と、第２水平流路６７とを形成する。切替装置戻り管８４は、入口側接続口８４ｂが形成され、風呂循環具７の戻り側接続管７ｄの管軸と略同一の管軸を有する水平管８４ａを含む。すなわち、水平管８４ａは、浴槽外壁４ａに沿って伸びた略水平方向の管軸を有する。また、切替装置戻り管８４は、立ち上がり流路６６の一部と第２水平流路６７とを形成するエルボ管（エルボ部分）９０を含む。
【００３０】
切替装置戻り管８４（水平管８４ａ）は、戻り側接続管７ｄと入口側接続口８４ｂで接続される。切替装置戻り管８４は、出口側接続口８４ｃでエルボ入口側接続口９０ａ（エルボ管９０の一端）と接続されると共に、エルボ出口側接続口９０ｂ（エルボ管９０の他端）で風呂循環流路６の戻り管３１と接続される。また、切替装置戻り管８４は、第１水平流路６５と立ち上がり流路６６との接続部分にバイパス流路口８４ｄを有する。なお、切替装置１の「戻り流路」という場合には、上記構成に限らず切替装置戻り管８４より上流側の流路や、戻り管３１の一部を含んでもよい。
【００３１】
バイパス流路６３は、弁体７５と、バイパス管９５（戻り流路６２とバイパス流路６３との区画壁８４ｅとなる箇所を含む）と、プリセット荷重調整ネジ７７の流路側面７７ａと、バイパス流路口８４ｄとで構成される。図３に示すように、バイパス管９５の管軸と水平管８４ａの管軸とは異なる鉛直方向平面内に形成されるため、バイパス流路口８４ｄは、バイパス管９５から水平管８４ａに流れる湯水が径方向断面において約４５°方向（図３（Ｂ）においては左斜め上４５°方向）に流れるように形成される。ここで、バイパス流路６３が形成される場合は、図５に示すようにバイパス流路６３が開き往き流路６１が閉じている場合である。すなわち、流路切替機構部７０を流通する湯水の温度が所定温度よりも低い場合（ＳＭＡバネ７４が所定温度よりも低く縮んだ場合）に、弁体７５は弁座としての接続部材８１に当接し、バイパス流路６３を開き、往き流路６１を閉じる。
【００３２】
このような切替装置１は、気水分離部として機能する戻り流路６２により、風呂循環流路６から浴槽４への冷水の吐出を防止する。すなわち、第１水平流路６５と第２水平流路６７との間に立ち上がり流路６６を設けて、第１水平流路６５と第２水平流路６７とに高低差を形成したことで、風呂循環ポンプ３５駆動時に戻り管３１内に第１水平流路６５のわずかな残留水を循環させることなく、浴槽４内の空気を主に吸い込むことができる。このような気水分離部は、例えば浴槽４が空の状態である場合に、風呂循環流路６内の残留水だけで循環することを防止することができる。
【００３３】
なお、第１水平流路６５の内径および立ち上がり流路６６の内径が大きい方が、気水分離部の機能を発揮する。また、第１水平流路６５および第２水平流路６７は、完全な水平ではなく、若干の傾斜を伴っていてもよい。さらに、立ち上がり流路６６は第１水平流路６５および第２水平流路６７に対して略垂直に立ち上がるのが好ましいが、第１水平流路６５および第２水平流路６７に高低差を設けることができれば垂直以外の角度で立ち上がってもよい。
【００３４】
このような本実施形態における切替装置１は、浴槽外壁４ａと浴室壁３ａとの空間によらずに設置できる点で優れている。この点について、以下具体的に説明する。
【００３５】
風呂循環具７は、図３に示すように、往き側接続管７ｃと、戻り側接続管７ｄと、外側ケース７ｅとを浴槽外壁４ａ側に有する。往き側接続管７ｃおよび戻り側接続管７ｄは、浴槽外壁４ａの略面方向（図３（Ａ）においては図示左右方向）に沿って伸び、各管軸が浴槽外壁４ａに沿った略水平方向である管である。これら往き側接続管７ｃおよび戻り側接続管７ｄは、外側ケース７ｅに接続される。外側ケース７ｅは、浴槽外壁４ａから一定幅を持って突出した部材である。
【００３６】
往き側接続管７ｃおよび戻り側接続管７ｄと接続される箇所は、それぞれ切替装置１の切替装置往き管８２の出口側接続口８２ｃおよび切替装置戻り管８４の入口側接続口８４ｂである。風呂循環具７と切替装置１との接続関係においては、これら接続箇所が最も張り出しが大きい部分である。
【００３７】
一方、切替装置１においては、図２に示すように、複数部品を含む流路切替機構部７０が最も外径が大きくなる部分である。切替装置１が設置される浴槽外壁４ａと浴室壁３ａとの間は、例えば２００ｍｍ程度の限られた狭い空間である。このため、風呂循環具７と切替装置１との接続箇所や、切替装置１における流路切替機構部７０の配置が、切替装置１を設置する際に大きく影響する。
【００３８】
ここで、本実施形態における切替装置１は、風呂循環具７と接続された場合、図３（Ｂ）に示すように流路切替機構部７０と浴槽外壁４ａとの距離ｄを、出口側接続口８２ｃまたは入口側接続口８４ｂと浴槽外壁４ａとの距離Ｄ以下となるよう構成した。距離ｄは、流路切替機構部７０の外形端部７０ｆにより画定される。距離Ｄは、出口側接続口８２ｃおよび入口側接続口８４ｂの外形端部８２ｆ、８４ｆにより画定される。また、弁箱７２の管軸は、出口側接続口８２ｃおよび入口側接続口８４ｂが形成された各水平管８２ａ、８４ａの管軸よりも浴槽外壁４ａ側に位置する。すなわち、弁箱７２の管軸は、出口側接続口８２ｃおよび入口側接続口８４ｂが形成された各水平管８２ａ、８４ａの管軸と略平行であり、かつ各水平管８２ａ、８４ａの管軸を含む鉛直平面外にある。これにより、流路切替機構部７０は、外側ケース７ｅに少なくとも一部を重畳させることができ、流路切替機構部７０の外形が大きくても切替装置１を狭い空間に効率良く配置することができる。
【００３９】
例えば、図６は、本実施形態における切替装置１の効果を説明するための図であり、（Ａ）は風呂循環具７と接続された風呂循環流路切替装置１００の構成図であり、（Ｂ）は図６（Ａ）を浴槽外壁４ａと直交する方向から見た構成図である。なお、切替装置１と対応する構成および部分については同一の符号を付し、重複する説明を省略する。
【００４０】
切替装置往き管８２および切替装置戻り管８４の管軸と、弁箱７２の管軸とが略平行であり、同一鉛直平面上に配置した場合には、流路切替機構部７０が浴室壁３ａと干渉してしまう。または、干渉せず切替装置１００を設置するには、より広い空間が設置環境として求められる。しかし、本実施形態における切替装置１は、流路切替機構部７０の設置時においては浴槽外壁４ａ側にずらすように構成し、外形端部７０ｆが浴室壁３ａに干渉しないようにした。これにより、風呂循環具７と切替装置１との接続箇所の寸法を考慮して設置環境を決定すればよいため、より限られた空間にも設置することができ、これにより設置空間を問わずに設置できる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４２】
例えば、弁箱７２の管軸が水平管８２ａ、８４ａの管軸に対してずれて、弁箱７２の最大径部位が少しでも浴槽外壁４ａ側にずれていれば、図３（Ｂ）に示す距離ｄが距離Ｄよりも大きくてもよい。すなわち、距離ｄを画定する流路切替機構部７０（弁箱７２）の外形端部７０ｆが、距離Ｄを画定する出口側接続口８２ｃおよび入口側接続口８４ｂの外形端部８２ｆ、８４ｆよりも、浴室壁３ａ側にあってもよい。これは、仮に距離ｄが距離Ｄよりも大きい場合であっても、設置時において、弁箱７２の管軸が水平管８２ａ、８４ａの管軸に対して浴槽外壁４ａ側にずれていれば、設置寸法の低減に寄与するためである。
【００４３】
また、本実施形態においては、水平管８２ａ、８４ａの管軸が鉛直方向における同一平面にある例を説明したが、これらが同一平面内にない場合には、距離Ｄは外形端部８２ｆ、８４ｆのうち設置時において浴槽外壁４ａとの距離を大きくする外形端部８２ｆ、８４ｆにより画定される。
【００４４】
また、本実施形態においては、感温切替弁７１に、ＳＭＡバネ７４に代えて、形状回復温度相当の温度より温度以上である場合に膨張し、形状回復温度相当の温度より温度が低い場合に収縮するワックスサーモエレメントを用いてもよい。
【００４５】
また、戻り流路６２が第１水平流路６５、立ち上がり流路６６、および第２水平流路６７を有する例を説明したが、管軸が浴槽外壁４ａに沿った略水平方向である切替装置戻り管８４を含んでいれば立ち上がり流路６６は必須ではない。また、第２水平流路６７の方向を往き流路６１（往き管３２）や第１水平流路６５と水平となる方向としたが、設置空間上問題が生じない範囲で、他の方向に伸びていてもよい。
【００４６】
また、熱源機としての給湯機５は、貯湯タンク１１外にヒートポンプ式の加熱装置を設け、貯湯タンク１１内の湯水を循環加熱する構成としたり、風呂熱交換器３３を貯湯タンク１１外に配置して、貯湯タンク１１内の湯水を風呂熱交換器の一次側に循環させる構成としたり、給水や浴槽水をガスバーナや石油バーナで加熱する瞬間式熱交換器（風呂熱交換器）を有した構成としたものでもよい。
【符号の説明】
【００４７】
１  風呂循環流路切替装置（切替装置）
２  風呂給湯システム
３  浴室
３ａ  浴室壁
４  浴槽
４ａ  浴槽外壁
５  風呂給湯機（給湯機）
６  風呂循環流路
７  風呂循環具
７ｃ  往き側接続管
７ｄ  戻り側接続管
７ｅ  外側ケース
３１  戻り管
３２  往き管
６１  往き流路
６２  戻り流路
６３  バイパス流路
７０  流路切替機構部
７１  感温切替弁
７２  弁箱
８１  接続部材
８２  切替装置往き管
８４  切替装置戻り管
９５  バイパス管
【図１】
0006379026.tif 000002
【図２】
0006379026.tif 000003
【図３】
0006379026.tif 000004
【図４】
0006379026.tif 000005
【図５】
0006379026.tif 000006
【図６】
0006379026.tif 000007